(57)【要約】【課題】給紙装置について、装置管理者に高度な技術や過剰な手間を求めることなく適正で安定的な給紙を実現できるようにする。【解決手段】用紙束を積載する給紙トレー２０と、モータ１５で回転駆動されて給紙トレー２０の用紙束から用紙を送り出す給紙ローラ２３と、上面を給紙ローラ２３の周面に密着可能に対向配置されて給紙ローラ２３とともに捌き機構２１を構成する捌き板２２と、駆動手段で回転駆動され捌き機構２１下流側で用紙をさらに下流側に搬送する送りローラ２５とを備えて、サブ制御装置１１で駆動制御されて用紙を一枚ずつ給紙する給紙装置３において、その捌き機構２１に、給紙ローラ２３と捌き板２２の間に生じた圧力を捌き圧として検出して検出信号をサブ制御装置１１に出力する圧力センサ１４を付設して、サブ制御装置１１で検知した捌き圧データを基に捌き圧の調整を行うことを特徴とするものとした。【選択図】図３
2013023332.tif 000002
【特許請求の範囲】
【請求項１】
用紙束を積載する給紙トレーと、駆動手段で回転駆動されて前記給紙トレーの用紙束から一枚ずつ用紙を送り出す給紙ローラと、上面を前記給紙ローラの周面に密着可能に対向配置されて前記給紙ローラとともに用紙を一枚ずつ分離する捌き機構を構成する捌き板と、駆動手段で回転駆動されて前記捌き機構下流側で用紙をさらに下流側に搬送する送りローラとを備えて、制御手段で駆動制御されながら用紙を一枚ずつ給紙する給紙装置において、
前記捌き機構には、給紙時に前記給紙ローラと前記捌き板の間に生じた圧力を捌き圧として検出し検出信号を前記制御手段に出力する圧力センサが付設されており、前記制御手段で検知した捌き圧データを基に捌き圧の調整を行うものとされている、ことを特徴とする給紙装置。
【請求項２】
前記捌き機構には捌き圧を調整するための捌き圧調整手段が付設されており、該捌き圧調整手段を操作しながら捌き圧の調整を行うものとされている、ことを特徴とする請求項１に記載した給紙装置。
【請求項３】
前記捌き圧の調整は、前記制御手段が前記捌き圧データを基に所定の算出方法を用いて実際の捌き圧を所定レベルまたは設定値にするように前記捌き圧調整手段を操作しながら自動にて行われる、ことを特徴とする請求項２に記載した給紙装置。
【請求項４】
前記用紙が前記送りローラに到達したことを検出して前記制御手段に検出信号を出力する用紙センサが配設されており、前記制御装置が、前記給紙ローラの駆動手段への通電開始から前記用紙の先端が前記送りローラに到達したことを検知するまでの到達時間を計測して該到達時間を予め定めた基準到達時間に収束させるように前記捌き圧調整手段を操作しながら捌き圧の調整を行うものとされている、ことを特徴とする請求項２または３に記載した給紙装置。
【請求項５】
前記捌き圧の調整は、実際の前記到達時間を１回で前記基準到達時間に一致させるように行われるのではなく、複数回に亘って徐々に前記基準到達時間に収束させるように行われる、ことを特徴とする請求項４に記載した給紙装置。
【請求項６】
前記送りローラの下流側には、前記用紙の重送発生を検出して前記制御手段に検出信号を出力する重送センサが配設されており、重送の発生を検知した前記制御手段が、そのときの捌き圧を予め定めた所定の割合で増加させることで少なくとも重送を生じないレベルの捌き圧に一旦上昇させた後、前記基準到達時間に収束させるように調整を継続する、ことを特徴とする請求項４または５に記載した給紙装置。
【請求項７】
通常の捌き圧の設定では搬送経路で詰まりを生じる畏れのある厚物の用紙を給紙する場合に、前記給紙ローラと前記捌き板の間隔を前記用紙の厚さと同等以上に開いて前記用紙を前記捌き機構内に受け入れ、その後前記間隔を狭めて前記用紙を挟み込みつつ検知している捌き圧が所定レベルになった時点で挟み込みを停止するものとして、給紙する前記用紙の厚さに適応した前記給紙ローラと前記捌き板の間隔にして給紙を行うものとされている、ことを特徴とした請求項２，３，４，５または６に記載した給紙装置。
【請求項８】
手動操作で捌き圧の調整を実施するためのマニュアル式捌き圧調整手段が設けられており、その手動による調整量が前記制御装置に記憶されて、次回以降の捌き圧の設定又は／及び捌き圧の調整の際に前記調整量が自動的に反映される、ことを特徴とする請求項１，２，３，４，５，６または７に記載した給紙装置。
【請求項９】
前記捌き圧調整手段に連結されてこれを手動操作するためのダイヤルが設けられ、該ダイヤルには駆動手段が連結されて自動調整による捌き圧設定値の変化が前記ダイヤルの目盛り表示に自動的に反映されるものとされ、前記ダイヤルを用いて捌き圧の手動調整が行えることに加え現在の捌き圧設定値を前記ダイヤルによる目盛り表示で確認可能とされている、ことを特徴とする請求項２，３，４，５，６または７に記載した給紙装置。
【請求項１０】
請求項１，２，３，４，５，６，７，８または９に記載した給紙装置を有した棚を縦方向に複数段備えて前記棚から給紙された複数種類の用紙を一つに丁合する装置であって、所定のプログラムを格納した制御手段と前記装置についての所定の表示及び所定の操作を行うためのメインパネルを備えた新聞折込チラシ用のコレーター。
【請求項１１】
前記給紙装置にはタッチパネル式の操作が可能なディスプレイを有した操作パネルが各々配設され、前記ディスプレイにその給紙装置の各種状態が表示可能であるとともにその給紙装置についての各種操作を行うためのスイッチ類の画像表示が可能とされており、前記メインパネルと前記操作パネルの間でその給紙装置について行った操作の結果が互いに反映されて内容の共通した表示となる、ことを特徴とする請求項１０に記載したコレーター。
【発明の詳細な説明】
【技術分野】
【０００１】
本発明は、給紙装置及びそれを備えたコレーターに関し、殊に、用紙を分離するための捌き機構を備えて用紙束から一枚ずつ給紙する給紙装置及びこの給紙装置を複数備えて複数種類の用紙を一つに丁合するコレーターに関する。  
【背景技術】
【０００２】
コレーター（丁合機）や複写機等が有している給紙装置には、給紙トレーに積んだ用紙束から一枚ずつ用紙を分離して給紙するための捌き機構が設けられており、この捌き機構では、摩擦力を発揮する捌き板の上面に給紙ローラを押圧しながら回転駆動させることで、給紙ローラが接触している一番上の用紙だけを分離して送り出すようになっている。
【０００３】
この捌き機構で用紙を確実に分離しながら正確なタイミングで給紙を行うためには、捌き板と給紙ローラとの間の捌き圧を適正に維持する必要がある。即ち、捌き圧が弱すぎると重送が生じやすくなり、捌き圧が強すぎるとそれが抵抗となって用紙の送り出しが遅くなったり給紙ミスを生じたりしてしまう。また、用紙の厚さや紙質・滑りやすさ等の特性に応じて適正な捌き圧は異なることが知られているが、新聞折込チラシ用のコレーターでは、特性・状態の異なる多種類のチラシを短時間で端の揃った一つのチラシ束に丁合することが要求されることから、各給紙装置の捌き圧を的確に設定・維持するために充分なる知識と経験が必要とされている。
【０００４】
そこで、特許第４６７４３７３号公報に記載されているように、捌き機構から送り出された用紙について給紙開始から下流側の送りローラに到達するまでの時間を計測し、その到達時間と予め設定した基準到達時間との差の平均値を算出し、その値で給紙開始のタイミングを調整することにより、下流側で各用紙を揃えるようにしたコレーターが提案されている。
【０００５】
また、特開平９−１５０９９０号公報には、捌き機構から送り出された用紙の搬送速度を検知して、この搬送速度が所定値となるように制御手段が捌き機構に設けた捌き圧調整手段を操作するものとして、用紙の種類に関わらず安定した給紙を確保しやすいものとした給紙装置も提案されている。
【０００６】
しかしながら、これらの装置は用紙の給紙速度のみに注目しながら給紙タイミングや捌き圧を調整することで丁合後の用紙束を揃えようとするものであり、用紙の特性に応じて様々に変動する実際の捌き圧に基づいてこれを調整しようとするものではないため、用紙の種類多くてそれが変動しやすい給紙作業の場合には、短時間で的確な調整を行うことが実際には困難であるとともに、重送や給紙ミスの発生を確実に防止できるものではないため、安定的な給紙・丁合を実現するための手段としては未だ不充分である。
【０００７】
そのため、上述した技術を新聞折込チラシ用のコレーターに適用した場合でも、作業者が各棚の給紙装置に設けた捌き圧調整用のダイヤルを用いながらチラシの種類毎に捌き圧の微妙な調整を行わざるを得ないものであり、その際に充分な知識と経験が必要であることは従来通りである。また、このようなコレーターでは、給紙ローラと捌き板が常に摩耗し続けるため定期的に基準点を調整することが必要となり、これを的確に行わないと実際の捌き圧とダイヤル目盛りとの差が拡大して、捌き圧を適正に調整することがさらに困難な状態になる。
【先行技術文献】
【特許文献】
【０００８】
【特許文献１】特許第４６７４３７３号公報
【特許文献２】特開平９−１５０９９０号公報
【発明の概要】
【発明が解決しようとする課題】
【０００９】
本発明は、上記のような問題を解決しようとするものであり、給紙装置について、装置管理者に高度な技術や過剰な手間を求めることなく適正で安定的な給紙を実現できるようにすることを課題とする。
【課題を解決するための手段】
【００１０】
そこで、本発明は、用紙束を積載する給紙トレーと、駆動手段で回転駆動されて給紙トレーの用紙束から一枚ずつ用紙を送り出す給紙ローラと、上面を給紙ローラの周面に密着可能に対向配置されて給紙ローラとともに用紙を一枚ずつ分離する捌き機構を構成する捌き板と、駆動手段で回転駆動されて捌き機構下流側で用紙をさらに下流側に搬送する送りローラとを備えて、制御手段で駆動制御されながら用紙を一枚ずつ給紙する給紙装置において、その捌き機構には、給紙時に給紙ローラと捌き板の間に生じた圧力を捌き圧として検出し検出信号を制御手段に出力する圧力センサが付設されており、制御手段で検知した捌き圧データを基に捌き圧の調整を行うものとされている、ことを特徴とするものとした。
【００１１】
このように、実際の捌き圧を検知しながらこれを基に捌き圧を調整する方式としたことで、捌き圧の調整が短時間で的確に行えるとともに適正で安定的な給紙を実現しやすいものとなり、且つ、捌き圧を定量的に知ることにより製造時の原点出しや使用に伴う給紙ローラ等の摩耗への対応、さらにはメンテナンス時の調整原点出しの場合など、各作業時において捌き圧についての知識と経験が殆ど不要なものとなる。
【００１２】
また、この給紙装置において、その捌き機構には捌き圧を調整するための捌き圧調整手段が付設されており、この捌き圧調整手段を操作しながら捌き圧の調整を行うものとされていることを特徴としたものとすれば、迅速な調整作業を可能として適正な給紙状態を確保しやすいものとなる。この場合、その捌き圧の調整は、制御手段が前記捌き圧データを基に所定の算出方法を用いて実際の捌き圧を所定レベルまたは設定値にするように捌き圧調整手段を操作しながら自動にて行われる、ことを特徴としたものとすれば、給紙作業中の実際の捌き圧を設定値に自動的に一致させたり、新聞折込チラシ用のコレーターのように多種類の用紙を給紙するケースで用紙の種類や状態が変化して捌き圧が変動するケースであっても良好な給紙状態を確保できる捌き圧に自動調整させたりすることができる。
【００１３】
さらに、上述の捌き圧調整手段を備えた給紙装置において、用紙が送りローラに到達したことを検出して制御手段に検出信号を出力する用紙センサが配設されており、その制御装置が、給紙ローラの駆動手段への通電開始から用紙の先端が送りローラに到達したことを検知するまでの到達時間を計測してこの到達時間を予め定めた基準到達時間に収束させるように捌き圧調整手段を操作しながら捌き圧の調整を行うものとされている、ことを特徴としたものとすれば、調整により変動する捌き圧を定量的に検知可能としながら、基準到達時間よりも短い時間で到達している場合は捌き圧を上げ、長い時間で到達している場合は捌き力を下げるものとして、捌き圧の調整と給紙タイミングの調整とが同時にしかも的確に行われるものとなる。
【００１４】
この場合、その制御手段による捌き圧の調整は、実際の到達時間を１回で基準到達時間に一致させるように行われるのではなく、複数回に亘って徐々に基準到達時間に収束させるように行われることを特徴としたものとすれば、緩めの演算で徐々に修正する方式としたことにより、１枚１枚用紙の位置がずれやすい給紙作業において修正を１回で行うことによる過剰な変動を招きにくくなって、スムースで安定的な作業を実現しやすいものとなる。
【００１５】
さらにまた、上述した到達時間を基に調整を行う給紙装置において、その送りローラの下流側には、用紙の重送発生を検出して制御手段に検出信号を出力する重送センサが配設されており、重送の発生を検知した制御手段が、そのときの捌き圧を予め定めた所定の割合で増加させることで少なくとも重送を生じないレベルの捌き圧に一旦上昇させた後、前記基準到達時間に収束させるように調整を継続することを特徴としたものとすれば、適切な捌き圧の調整と重送の確実な回避とを同時に実現しやすいものとなる。
【００１６】
加えて、上述した給紙装置において、通常の捌き圧の設定では搬送経路で詰まりを生じる畏れのある厚物の用紙を給紙する場合に、給紙ローラと捌き板の間隔を用紙の厚さと同等以上に開いて用紙を捌き機構内に受け入れ、その後間隔を狭めて用紙を挟み込みつつ検知している捌き圧が所定レベルになった時点で挟み込みを停止するものとして、給紙する用紙の厚さに適応した給紙ローラと捌き板の間隔にして給紙を行うことを特徴としたものとすれば、従来は経験が必要とされた厚物の用紙における対応が自動的且つ的確に行われるものとなる。
【００１７】
また加えて、上述した給紙装置において、手動操作で捌き圧の調整を実施するためのマニュアル式捌き圧調整手段が設けられており、その手動による調整量が制御装置に記憶されて、次回以降の捌き圧の設定又は／及び捌き圧の調整の際に前記調整量が自動的に反映されることを特徴としたものとすれば、作業者による操作の手間を一層軽減可能なものとなる。
【００１８】
さらに加えて、上述した給紙装置において、捌き圧調整手段に連結されてこれを手動操作するためのダイヤルが設けられ、このダイヤルには駆動手段が連結されて自動調整による捌き圧設定値の変化がダイヤルの目盛り表示に自動的に反映されるものとされ、このダイヤルを用いて捌き圧の手動調整が行えることに加え現在の捌き圧設定値をダイヤルによる目盛り表示で確認可能とされている、ことを特徴としたものとすれば、従来から使い慣れた捌き圧調整用のダイヤルを用いて直感的に短時間で調整を行えるとともに捌き圧の状態を一目で確認できるものとなる。
【００１９】
そして、上述した給紙装置を有した棚を縦方向に複数段備えてその棚から給紙された複数種類の用紙を一つに丁合する装置であって、所定のプログラムを格納した制御手段とこの装置についての所定の表示及び所定の操作を行うためのメインパネルを備えた新聞折込チラシ用のコレーターとすれば、多種類のチラシを丁合するために複数配置した各給紙装置における捌き圧の調整作業が、手間を要することなく容易に行えるものとなる。
【００２０】
そしてまた、このコレーターにおいて、その給紙装置にはタッチパネル式の操作が可能なディスプレイを有した操作パネルが各々配設され、そのディスプレイにその給紙装置の各種状態が表示可能であるとともにその給紙装置についての各種操作を行うためのスイッチ類の画像表示が可能とされており、メインパネルと操作パネルの間でその給紙装置について行った操作の結果が互いに反映されて内容の共通した表示となる、ことを特徴としたものとすれば、捌き圧の自動調整機能により経験の少ない作業者でも適正かつ安定的な給紙による良好な丁合を実現しやすいものとなり、且つ、各棚の給紙装置で捌き圧を始めとするその棚の状態を確認しながら的確な作業を遂行しやすいものとなる。
【発明の効果】
【００２１】
実際の捌き圧を検知しながらその値を基に捌き圧の設定値を調整する方式の本発明によると、装置管理者に対し高度な技術や過剰な手間を求めることなく適正で安定的な給紙を実現できるものである。
【図面の簡単な説明】
【００２２】
【図１】本発明における実施の形態の正面図である（一部拡大図）。
【図２】図１のコレーターの構成を説明するための機能ブロック図である。
【図３】図１のコレーターの給紙装置の構成を説明するための部分縦断面図である。
【図４】（Ａ）及び（Ｂ）は捌き機構に対する圧力センサの付設例を示す拡大した部分縦断面図である。
【図５】図１のコレーターにおける捌き圧調整手段の構成の一例を示す部分斜視図である。
【図６】（Ａ）及び（Ｂ）は図５の捌き圧調整手段の変形例を示す部分拡大図である。
【図７】図５の捌き圧調整手段に連結している捌き圧調整用ダイヤルの変形例を示す部分斜視図である。
【図８】図１のコレーターの応用例を示す正面図である（一部拡大図）。
【図９】図１のコレーターにおける給紙時の捌き圧の変動状況を示すグラフである。
【発明を実施するための形態】
【００２３】
以下に、図面を参照しながら本発明を実施するための形態を説明する。
【００２４】
図１は、本実施の形態の給紙装置３ａ，３ｂ，３ｃ，・・・を各々有した棚を縦方向に複数段かつ前後両面に備えてなるコレーター１Ａを示しており、図２はその構成を機能ブロック図で示したものである。このコレーター１Ａは、新聞折込チラシの丁合作業を行うことを想定したものであるが、複数種類の用紙を一つに丁合する作業である限り、他の分野においてもそのまま使用することも可能である。  
【００２５】
コレーター１Ａには、ディスプレイ５１と操作キー５２を有したメインパネル５Ａ及びメイン制御装置１０Ａを備えており、メインパネル５Ａで装置の各種状態を表示するとともに各種設定や各種操作を行えるようになっており、メイン制御装置１０Ａは記憶手段を有しているとともにコレーター用の制御プログラムが格納されたものであり、装置の各種設定を記憶するとともに各給紙装置３０Ａの統括的な制御を行っている。また、給紙装置３ａ，３ｂ，３ｃ，・・・は、ディスプレイ３２、捌き圧調整用のダイヤル３１、ボタン類・ランプ類を有した操作パネル３０Ａを各々備えている。
【００２６】
給紙装置３ａ，３ｂ，３ｃ，・・・は、図２の機能ブロック図及び図３の部分縦断面図に示すように、用紙束（チラシ束）を積載する給紙トレー２０、図示しない駆動手段で回転駆動されて給紙トレー２０の用紙束から用紙を一枚ずつ送り出す給紙ローラ２３及び補助ローラ２４、上面を給紙ローラ２３の周面に対し密着可能に対向配置されて給紙ローラ２３とともに捌き機構２１を構成する捌き板２２、図示しない駆動手段で回転駆動されて用紙をさらに下流に搬送する送りローラ２５、その各種制御を行うサブ制御装置１１を各々備えており、メイン制御装置１０Ａ及びサブ制御装置１１で駆動制御されて用紙を一枚ずつ給紙するようになっている。
【００２７】
また、図３に示すように、捌き機構２１から送りローラ２５に亘ってへ字状のレバー１３ａが揺動可能な状態に軸支されて配設されており、その基端側の磁石の動きを検出するホール素子またはリードスイッチ１３ｂとともに、送りローラ２５の位置に用紙が到達したことを検出して給紙ミス等の発生を検知するための用紙センサ（所謂ミス検センサ）１３を構成している。
【００２８】
そして、本発明においては、各給紙装置３ａ，３ｂ，・・・の捌き機構２１に、給紙の際に給紙ローラ２３と捌き板２２の間に生じた圧力を捌き圧として検出し、その検出信号を制御手段であるサブ制御装置１１に出力する圧力センサ１４が付設され（図４参照）、サブ制御装置１１が検知した捌き圧データをその給紙装置のディスプレイ３２及びメインパネルのディスプレイ５１に表示可能とされており、操作者が各給紙装置３ａ，３ｂ，・・の実際の捌き圧を定量的に認識してこれを調整作業に用いることを可能としており、捌き圧の設定及び調整が比較的容易に行われるものとして、経験豊富な作業者と経験の少ない作業者との差が生じにくくした点を特徴としている。
【００２９】
即ち、従来は作業者の経験と勘に頼っていた捌き圧の調整作業において、その実際の捌き圧の値を定量的に知ることが可能となるため、機械製造時の原点出しに始まり、ユーザ使用中の給紙ローラ等の摩耗に対応しながら適正な捌き状態を確保することや、メンテナンス時の調整原点出しなど、総ての作業者において捌き圧に関する経験と知識が殆ど問われないものとなって、経験の差による完成度の違いを無くすことを実現している。
【００３０】
この捌き圧を検出するための圧力センサ１４には、例えば電磁式、ひずみゲージ式、音叉式、可動コイル式、静電容量式などの荷重測定部品を使用することができ、図４（Ａ）のように捌き板２２の下面と基台部２８ａ上面との間に圧力センサ１４Ａを直接配置した捌き機構２１ａや、図４（Ｂ）のように捌き板２２が載っている基台部２８ｂの内側に圧力センサ１４を配置した捌き機構２１ｂ等が想定される。
【００３１】
また、本実施の形態の給紙装置３ａ，３ｂ，・・・には、図５の部分斜視図に示すように、その捌き機構２１に捌き圧を調整するためのサーボモータやステップモータ等の詳細な駆動制御が可能なモータ１６を有してなる捌き圧調整手段１８が各々配設されており、サブ制御装置１１が検知した捌き圧データを基に捌き圧調整手段１８を操作しながら捌き圧を自動調整するようになっている。その調整の内容としては、サブ制御装置１１が検知している捌き圧データを基に、所定の計算方法（演算）を用いて実際の捌き圧を設定値または所定の適正レベルに維持する方向のフィードバック的な制御でモータ１６の駆動を操作すること等が挙げられる。
【００３２】
このような構成としたことで、本実施の形態の極めて多種類のチラシを丁合する新聞折込チラシ用のコレーター１Ａのように、殆ど毎日チラシの種類が変わるとともに同じ棚でも作業途中でチラシの種類や状態が変わって実際の捌き圧が度々変動するような場合であっても、これが適正な状態に自動調整されるため作業者の手間を要することなく、適正かつ安定的な給紙状態を実現しやすいものとなる。また、適正な捌き圧になった時点でそのことをディスプレイ表示やブザー・音声等で報知する機能を備えたものとすることにより、作業者にとって一層便利なものとなる。
【００３３】
このような捌き圧調整手段１８は、サブ制御装置１１で制御されて精密な操作が可能なモータ１６により駆動されて動作するものであるが、その捌き圧を変更させる部分の構成としては、図５に示した傾斜板のスライド動作で捌き板２２を上下動させる方式の作動部１８ｂのほか、図６（Ａ），（Ｂ）に示すようにネジの回転動作で捌き板２２を俯仰させて捌き圧を上昇させる方式の作動部１８ｃ，１８ｄ等が好適である。
【００３４】
さらに、前述した実施の形態の給紙装置３ａ，３ｂ，・・・の応用例として、図３に示した用紙センサ１３が送りローラ２５に用紙が到達したのを検出する機能を利用して、サブ制御装置１１が、給紙ローラ２３を駆動させるモータ１５への通電開始から送りローラ２５に用紙が到達したのを検知するまでの到達時間を計測するものとし、その到達時間と予め実験等で適正な給紙を実現可能なものとして定めた基準到達時間とを比較してその差を求める等しながら、その後の給紙で差が小さくなっていくように、即ち基準到達時間に収束させるようにして、捌き圧調整手段１８を操作しながら自動的に捌き圧の調整を行う方式としても良い。
【００３５】
この機能は、上述したように予め経験や実績等により得られた捌き圧の設定値にて給紙作業を行うことを基本としているものの、実際にはこのような想定とは異なってしまうこともあり得ることから、このような想定外のケースにも的確に対処可能な安全装置として上述した機能に追加して設けられるものである。これにより、捌き圧を調整することと、捌き圧を調整することで変更される給紙タイミングを調整することが、同時且つ的確に行われるものとなる。この場合、検知した到達時間を１回で基準到達時間にもっていくように調整するのではなく、１回につき差のうち何割か（例えば３０％）だけを修正するものとして、複数回に亘って徐々に基準到達時間に収束させるように調整することが、過剰な変動を回避しながらスムースで安定的な調整作業を確保する観点で推奨される。
【００３６】
尚、この場合も、圧力センサ１４で実際の捌き圧を検知していることで、その調整が的確且つ迅速に行われることになる。また、上述した機能を応用して、アラームが鳴っても運転を停止しないテスト運転時等において、下流側で用紙が揃う適切な給紙スピード・タイミングとなるように各捌き圧を手動にて調整し、そのときの捌き圧をその用紙に対する基準値として設定したり、そのときの到達時間を基準到達時間として設定したりすることもできる。
【００３７】
ところで、新聞折込チラシ用のコレーターにおいては、その給紙装置の送りローラ下流側に用紙の重送発生を検出して制御手段に検出信号を出力する重送センサが配設されているのが通常であり、上述した実施の形態においても、図示は省略しているが送りローラ２５の下流側に重送センサが配設されており、重送の発生を検出してサブ制御装置１１及びメイン制御装置１０Ａに検出信号を出力するようになっている。
【００３８】
前述した応用例では、重送発生を検知したサブ制御装置１１が、そのときの捌き圧を予め定めた所定の割合で増加させて、少なくとも重送を生じないレベルの捌き圧に一旦上昇させた後、前述した基準到達時間に収束させるように捌き圧の調整を継続するものとして、適正な捌き圧の調整と重送の確実な回避の実現とを同時に実現できるようになっている。尚、重送発生を検知した場合は、その時点で運転を停止するのが一般的であるが、この場合、停止しながらも前述の調整動作は実行される設定とすれば良い。
【００３９】
さらにまた、上述した実施の形態・応用例のさらなる応用例として、通常の捌き圧の設定では機械の搬送経路に詰まりを生じる畏れのあるような厚物の用紙を給紙する場合に、所定の厚さや重さ以上の用紙を検出する厚物検出手段で厚物の用紙を検出、または厚物の用紙を積載する際に給紙装置に予め設定しておく等して、サブ制御装置１１が捌き板調整手段１８を操作しながら捌き機構２１の手前に用紙が来た時点で、給紙ローラ２３と捌き板２２の間隔を、用紙の厚さと同等以上に開いてこれを捌き機構２１内に受け入れ、或いは、作業者が厚物と判断した場合に前記間隔を開く操作を行った後で手動にて用紙を差し込むものとして、その後、間隔を狭めて用紙を挟みつつ検知している捌き圧が所定レベルになった時点で挟み込みを停止する構成としても良い。
【００４０】
この場合、用紙を挟み込んで所定の圧力レベルで停止してから、予め設定した所定幅だけ間隔を広げてその厚物の用紙に対して適切な捌き機構２１の間隔にすることが好ましい。以上のような構成とすることで、従来は経験が必要とされた折り畳んだチラシ等の厚物の用紙における対応作業が、経験を要することなく的確に行えるものとなり、作業者による操作の手間を軽減できるようになる。また、この場合も前述同様に到達時間の長短で間隔の調整量を加減することも可能である。
【００４１】
再度図５を参照して、上述した実施の形態及び応用例に共通して、その給紙装置には、手動操作で捌き圧の調整を実施するためのマニュアル式の捌き圧調整手段１８が設けられているが、その操作パネル３０Ａには、このマニュアル式捌き圧調整手段の一部を構成するダイヤル３１が配設されている。これにより、捌き圧の設定及び予め設定された捌き圧の調整が手動で行えるようになっているが、これに加え、その手動による調整量データはサブ制御装置１１に記憶されて次回の捌き圧の設定又は／及び調整の際に、その調整量が自動的に反映されるようになっていることから、その後の作業者の手間を大きく軽減可能としている。
【００４２】
また、このダイヤル３１には歯車３１ａ，１８ａ，１６ａを介して捌き圧調整手段１８の一部を構成しているモータ１６が連結されており、自動調整による捌き圧設定値の変化がその連結を介してダイヤル３１の目盛り表示に自動的に反映されるようになっており、この古くから使い慣れたダイヤル３１を用いて直感的に素早く捌き圧を調整できることに加え、現在の捌き圧の設定値を従来通り目盛り表示にて確認できるようになっている。
【００４３】
ところで、新聞折り込みチラシの丁合作業においては、特別に捌き圧を変える必要のある特殊なチラシやその日のインク乾燥状等により平均的捌き圧に対して当日のみ捌き圧を変更する必要のあるチラシも含まれるが、このような場合には捌き圧の一定圧自動調整機能を解除する方式としても良い。
【００４４】
また、図５に示したように、ダイヤル３１を手動操作する際は、操作に伴いモータ１６を回すことになってしまう。そこで、図７に示すように、例えばダイヤル３２の中心に配置したボタン３２ａを手で押すことにより、ダイヤル３２の中心から延設された軸棒３４の先端が、モータ支持部１９のモータ１６を載せた基台１９ｃをレール１９ｂ上でスライド移動させて歯車１８ａと歯車１６ａとのリンクを切断するものとし、ボタン３２から手を離すことでばね１９ｄの復元力により元の位置に戻ってリンクが接続される構成にする等して、モータ１６を動かすことなく手動操作できるようにすれば良い。また、前記機械式の回避方式以外にも、歯車とモータをマイクロクラッチによって接続し、電気的に締結解除する方式も可能である。
【００４５】
図８は、上述した実施の形態・応用例の他の応用例を示すものであり、給紙装置４ａ，４ｂ，・・・の各操作パネル３０Ｃにタッチパネル式の操作が可能なディスプレイ３３が配設されているとともに、そのメインパネル５Ｃがタッチパネル式の操作が可能なディスプレイ５４を備えて本体のメイン制御装置１０Ａとの間で無線によるデータ通信が実施可能なタブレット端末からなるものとした点を特徴としている。
【００４６】
このように、給紙装置４ａ，４ｂ，・・・における各操作パネル３０Ｃのディスプレイ３３を、従来例よりも大きな画面でタッチパネル式の操作が可能なものとしたことで、図のように実体的なランプ類・スイッチ類を必要最小限の数に抑えられるとともに、捌き圧調整用の実体的なダイヤルも省略することができ、ディスプレイ３３上で捌き圧の設定値（実測値）を数字で示しながら＋−の方向に数字を変化させる仮想の調整用ボタン・早送りボタン等が表示可能なものとなっている。そのため、定量的な判断及び操作が可能となって操作の経験が少なくても短時間で的確な捌き圧の調整を行いやすいものとなっている。
【００４７】
このコレーター１Ｃ及び前述した実施の形態・応用例に共通して、メインパネル５Ａ，５Ｃと操作パネル３０Ａ，３０Ｃの間でその給紙装置について行った操作の結果は、互いに反映されるとともに内容の共通した表示となるようになっており、どちらを見ても給紙装置の状態の確認でき、どちらを用いても操作が行えるものとしている。
【００４８】
ところで、制御装置が検知している捌き圧データの変動は、図９のグラフに示されるような状況になることが想定されており、図示したように用紙を挟み込んでいない状態と挟み込んでいる状態とでは圧力が顕著に変化することから、捌き圧の管理・調整のための基準として使用すべきデータ部分は、捌き板と給紙ローラの間に用紙が挟まっている状態の部分が好ましいことが理解できる。
【００４９】
また、一定の捌き圧に維持する管理を実行するものの場合は、用紙を抜いた状態ではその分を補うように調整されてその次に給紙ミスとなってしまうため、給紙ミスを検知・報知する状態で折り込み中に限って自動調整されるような設定が好ましい。さらに、装置の運転中に用紙切れとなって給紙ミスが出た場合も用紙が給紙ローラの下から無くなるため、このようなケースでは自動調整を停止する設定としても良い。加えて、適正な捌き圧（基準圧）を取得する際には、上述したようにコレーターの機能のうち運転を止めずに警告だけ出すテストモードで行うことにより、短時間で目的を達成することができる。
【００５０】
尚、上述の説明においては、各給紙装置における捌き圧の調整の主体はそのサブ制御装置であり、メイン制御装置は統括的な制御・管理を行うものとして記載したが、そのメイン制御装置が、新聞折込チラシ用のコレーターのように多数の給紙装置を有して各々フィードバック制御的な管理を並列的に行うだけの処理能力に余裕がある場合は、サブ制御装置を使用しない中央制御方式も可能である。しかし、各給紙装置にサブ制御装置を設けて制御機能を持たせることにより、その近くに駆動手段に対するドライバを配置できるようになり、多数の配線を機械全体に張り巡らせることなく給紙装置毎に配線の殆どを纏めることが可能となるため、コレーターを全体としてすっきりと纏まった状態にできるというメリットがある。
【００５１】
また、上述の説明において、一枚の用紙を給紙する間の捌き圧設定値は単一である場合を説明したが、用紙が分離された後で強い捌き力が加わったままでいると用紙の搬送における抵抗になって搬送速度を遅らせる要因となることが知られている。そこで、１回の給紙動作のうち、給紙ローラの駆動開始から用紙が分離されるまでの間の捌き力設定値と、分離した後に給紙ローラの駆動が停止するまで又は給紙ローラの下から用紙が完全に脱出するまでの間の捌き力設定値とが異なる設定、即ち、後者が前者よりも弱くなる設定の制御方式とすることで、確実な捌きと迅速な給紙の両立が可能なものとなる。
【００５２】
以上、述べたように、給紙装置について、本発明により、装置管理者に高度な技術や過剰な手間を求めることなく適正で安定的な給紙を実現できるようになった。
【符号の説明】
【００５３】
１Ａ，１Ｃ  コレーター、３，３ａ，３ｂ，３ｃ，４ａ，４ｂ，４ｃ  給紙装置、５Ａ，５Ｃ  メインパネル、１０Ａ  メイン制御装置、１１  サブ制御装置、１２  ドライバ、１３  用紙センサ、１４，１４ａ，１４ｂ  圧力センサ、１６  モータ、１８  捌き圧調整手段、２０  給紙トレー、２１，２１ａ，２１ｂ  捌き機構、２２  捌き板、２３  給紙ローラ、２５  送りローラ、３０Ａ，３０Ｃ  操作パネル、３２，３３，５１，５２  ディスプレイ    
【図１】
2013023332.tif 000003
【図２】
2013023332.tif 000004
【図３】
2013023332.tif 000005
【図４】
2013023332.tif 000006
【図５】
2013023332.tif 000007
【図６】
2013023332.tif 000008
【図７】
2013023332.tif 000009
【図８】
2013023332.tif 000010
【図９】
2013023332.tif 000011